(57)【要約】【課題】薄型化および大型化した家電テレビ、パソコンディスプレイ等の梱包作業を単純化させ、短時間で梱包・運搬・運送ができ、さらに繰り返し使用できる運送用エコバッグを提供する。【解決手段】後胴１０および底面２０各々の内面に所定の衝撃緩衝材１１、２１を固着し、６枚のフラップ１２Ｆ、１３Ｆ、１３ＵＦ、１４Ｆ、１４ＵＦ、３２Ｆおよび複数の結束具にて、薄型化および大型化した家電テレビ等を梱包することにより、短時間で梱包・運搬・運送ができ、さらに繰り返し使用できる運送用エコバッグ１を提供する。【選択図】図７
2011178468.tif 000002
【特許請求の範囲】
【請求項１】
後胴と、
当該後胴の下端が接する底面と、
当該底面の下端が接する前胴と、
前記後胴の内面に取付けた表示装置表示部保護用緩衝材と、
前記底面の内面に取付けた表示装置支持脚保護用緩衝材と、
前記後胴の上端が接する後胴フラップと、
前記前胴の上端が接する前胴フラップと、
前記後胴の左端が接する左フラップと、
前記後胴の右端が接する右フラップと、
前記左フラップの上端の一部が接する左上フラップと、
前記右フラップの上端の一部が接する右上フラップと、
前記後胴の外面に固着した後胴把持部と、
前記前胴の外面に固着した前胴把持部と、
前記左フラップおよび右フラップを結束する結束具と、
を有する薄型映像等表示装置運送用バッグ。
【請求項２】
前記前胴フラップの内面に面ファスナを装備し、かつ、前記後胴フラップの外面をパイル地にしたことを特徴とする請求項１の薄型映像等表示装置運送用バッグ。
【請求項３】
前記表示装置支持脚保護用緩衝材が、前記底面から脱着可能であることを特徴とする請求項１及び請求項２の薄型映像等表示装置運送用バッグ。
【請求項４】
前記後胴および前胴の外面に複数の吊り下げ用ロープ等挿入機構を付加した、請求項１、請求項２又は請求項３の薄型映像等表示装置運送用バッグ。
【請求項５】
前記底面の外面端部に複数の底面把持部を付加した請求項１、請求項２、請求項３又は請求項４の薄型映像等表示装置運送用バッグ。
【発明の詳細な説明】
【技術分野】
【０００１】
本願発明は、薄型映像等表示装置運送用バッグに関するものである。
【背景技術】
【０００２】
映像等表示装置（液晶、プラズマなど）の薄型化および大型化は、年々進んでいる。それに伴い薄型化および大型化した映像等表示装置の運搬・運送作業も増加しているものと予想するが、薄型化および大型化した映像等表示装置の梱包・運搬・運送作業は、様々な点で苦労を要するところである。
【０００３】
ところで、映像等表示装置の梱包・運搬・運送作業には、従来ではダンボール製収納箱に緩衝材を同梱する方法をよく目にする。しかし、薄型化および大型化した映像等表示装置は高価なものであるため運搬中の振動や外部からの衝撃により破損しないか心配である。
【０００４】
また、運搬・運送後のダンボール製収納箱や緩衝材を焼却廃棄した場合には、ＣＯ２排出量増加にもつながり地球環境にやさしくない。
【０００５】
引越しなどで薄型化および大型化した映像等表示装置を梱包・運搬・運送する場合には、毛布や布団などで包んだ後に紐などで縛って運搬・運送する方法も目にすることもある。しかし、やはり薄型化および大型化した映像等表示装置は高価なものであるので縛った紐などが切れた場合などを考えると心配である。また、梱包者の技量に委ねる部分もあるのではないかと考える。
【０００６】
プラズマディスプレイなどの大型装置の運搬具としてコンパクトに収納できる梱包箱で、かつ、再使用が容易なものとして特開２００１−２０６５号公報（特許文献１）が存在する。しかし、さらなる改良の余地もあるものと考える。
【先行技術文献】
【特許文献】
【０００７】
【特許文献１】特開２００１−２０６５号公報
【発明の概要】
【発明が解決しようとする課題】
【０００８】
上述したように、薄型化および大型化した映像等表示装置の梱包・運搬・運送には様々な点で苦労を要する。
【０００９】
そこで、本願発明が解決しようとする課題は、薄型化および大型化した映像等表示装置の梱包作業工程を単純化させ、いかなる人が梱包作業を行なったとしても短時間で良好な梱包状態となる薄型映像等表示装置運送用バッグを提供することである。
【００１０】
また、梱包後の運搬・運送作業も良好にスムーズにできる、薄型映像等表示装置運送用バッグであればさらに利便性が良いと考える。
【００１１】
また、運搬・運送作業後には、折り畳んで省スペースで保管できる、薄型映像等表示装置運送用バッグであればさらに利便性が良いと考える。
【００１２】
また、廃棄部材が生じることなく繰り返し使える、薄型映像等表示装置運送用バッグであればさらに地球環境にやさしいと考える。
【課題を解決するための手段】
【００１３】
上記の課題を解決するために、後胴と、当該後胴の下端が接する底面と、当該底面の下端が接する前胴と、前記後胴の内面に取付けた表示装置表示部保護用緩衝材と、前記底面の内面に取付けた表示装置支持脚保護用緩衝材と、前記後胴の上端が接する後胴フラップと、前記前胴の上端が接する前胴フラップと、前記後胴の左端が接する左フラップと、前記後胴の右端が接する右フラップと、前記左フラップの上端の一部が接する左上フラップと、前記右フラップの上端の一部が接する右上フラップと、前記後胴の外面に固着した後胴把持部と、前記前胴の外面に固着した前胴把持部と、前記左フラップおよび右フラップを結束する結束具とを有する薄型映像等表示装置運送用バッグを提供する。
【００１４】
また、上記課題を解決するために、後胴と、当該後胴の下端が接する底面と、当該底面の下端が接する前胴と、前記後胴の内面に取付けた表示装置表示部保護用緩衝材と、前記底面の内面に取付けた表示装置支持脚保護用緩衝材と、前記後胴の上端が接する後胴フラップと、前記前胴の上端が接する前胴フラップと、前記後胴の左端が接する左フラップと、前記後胴の右端が接する右フラップと、前記左フラップの上端の一部が接する左上フラップと、前記右フラップの上端の一部が接する右上フラップと、前記後胴の外面に固着した後胴把持部と、前記前胴の外面に固着した前胴把持部と、前記左フラップおよび右フラップを結束する結束具とを有し、前記前胴フラップの内面に面ファスナを装備し、かつ、前記後胴フラップの外面をパイル地にしたことを特徴とする映像等表示装置運送用バッグを提供する。
【００１５】
また、上記課題を解決するために、後胴と、当該後胴の下端が接する底面と、当該底面の下端が接する前胴と、前記後胴の内面に取付けた表示装置表示部保護用緩衝材と、前記底面の内面に取付けた表示装置支持脚保護用緩衝材と、前記後胴の上端が接する後胴フラップと、前記前胴の上端が接する前胴フラップと、前記後胴の左端が接する左フラップと、前記後胴の右端が接する右フラップと、前記左フラップの上端の一部が接する左上フラップと、前記右フラップの上端の一部が接する右上フラップと、前記後胴の外面に固着した後胴把持部と、前記前胴の外面に固着した前胴把持部と、前記左フラップおよび右フラップを結束する結束具とを有し、前記表示装置支持脚保護用緩衝材が前記底面から脱着可能である映像等表示装置運送用バッグを提供する。
【００１６】
また、上記課題を解決するために、後胴と、当該後胴の下端が接する底面と、当該底面の下端が接する前胴と、前記後胴の内面に取付けた表示装置表示部保護用緩衝材と、前記底面の内面に取付けた表示装置支持脚保護用緩衝材と、前記後胴の上端が接する後胴フラップと、前記前胴の上端が接する前胴フラップと、前記後胴の左端が接する左フラップと、前記後胴の右端が接する右フラップと、前記左フラップの上端の一部が接する左上フラップと、前記右フラップの上端の一部が接する右上フラップと、前記後胴の外面に固着した後胴把持部と、前記前胴の外面に固着した前胴把持部と、前記左フラップおよび右フラップを結束する結束具とを有し、前記前胴フラップの内面に面ファスナを装備し、かつ、前記後胴フラップの外面をパイル地にしたことおよび前記表示装置支持脚保護用緩衝材が前記底面から脱着可能である映像等表示装置運送用バッグを提供する。
【００１７】
また、上記課題を解決するために、後胴と、当該後胴の下端が接する底面と、当該底面の下端が接する前胴と、前記後胴の内面に取付けた表示装置表示部保護用緩衝材と、前記底面の内面に取付けた表示装置支持脚保護用緩衝材と、前記後胴の上端が接する後胴フラップと、前記前胴の上端が接する前胴フラップと、前記後胴の左端が接する左フラップと、前記後胴の右端が接する右フラップと、前記左フラップの上端の一部が接する左上フラップと、前記右フラップの上端の一部が接する右上フラップと、前記後胴の外面に固着した後胴把持部と、前記前胴の外面に固着した前胴把持部と、前記左フラップおよび右フラップを結束する結束具とを有し、さらに前記後胴および前胴の外面に複数の吊り下げ用ロープ等挿入機構を付加した薄型映像等表示装置運送用バッグを提供する。
【００１８】
また、上記課題を解決するために、後胴と、当該後胴の下端が接する底面と、当該底面の下端が接する前胴と、前記後胴の内面に取付けた表示装置表示部保護用緩衝材と、前記底面の内面に取付けた表示装置支持脚保護用緩衝材と、前記後胴の上端が接する後胴フラップと、前記前胴の上端が接する前胴フラップと、前記後胴の左端が接する左フラップと、前記後胴の右端が接する右フラップと、前記左フラップの上端の一部が接する左上フラップと、前記右フラップの上端の一部が接する右上フラップと、前記後胴の外面に固着した後胴把持部と、前記前胴の外面に固着した前胴把持部と、前記左フラップおよび右フラップを結束する結束具とを有し、さらに前記後胴および前胴の外面に複数の吊り下げ用ロープ等挿入機構と、前記底面の外面端部に複数の底面把持部を付加した薄型映像等表示装置運送用バッグを提供する。
【発明の効果】
【００１９】
本願発明の薄型映像等表示装置運送用バッグによれば、いかなる人が梱包作業を行なったとしても短時間で良好な梱包状態となる。
【００２０】
また、梱包後の運搬・運送作業も、複数の把持部を有するので良好にスムーズに行え、利便性が向上する。
【００２１】
また、運搬・運送作業後には、廃棄部材が生じることなく繰り返し使え、かつ、折り畳んで省スペースで保管することもできるので地球環境にやさしく、かつ、利便性が向上する。
【００２２】
本願発明の薄型映像等表示装置運送用バッグによれば、前胴フラップの閉じた位置がいずれの位置であっても接着できるので、薄型テレビの大きさにかかわらず梱包・運搬・運送をすることができ、利便性が向上する。
【００２３】
また、本願発明の薄型映像等表示装置運送用バッグによれば、表示装置支持脚保護用緩衝材のみを交換できるので、表示装置支持脚の高さにかかわらず梱包・運搬・運送をすることができ、拡張性が向上する。
【００２４】
また、梱包後の運搬・運送作業も、複数の吊り下げ用ロープ等挿入機構を有するので良好にスムーズに行え、利便性が向上する。
【図面の簡単な説明】
【００２５】
【図１】図１は、実施例１の薄型映像等表示装置運送用バッグの内面図である。
【図２】図２は、実施例１の薄型映像等表示装置運送用バッグの外面図である。
【図３】図３は、実施例１の薄型映像等表示装置運送用バッグに薄型家電テレビを収納する場面を示す図である。
【図４】図４は、実施例１の薄型映像等表示装置運送用バッグに収納した薄型家電テレビを梱包（横包み）する場面を示す図である。
【図５】図５は、実施例１の薄型映像等表示装置運送用バッグに収納した薄型家電テレビを梱包（縦包み）する場面を示す図である。
【図６】図６は、実施例１の薄型映像等表示装置運送用バッグの梱包完了後を示す図である。
【図７】図７は、実施例２の薄型映像等表示装置運送用バッグの内面図である。
【図８】図８は、実施例２の薄型映像等表示装置運送用バッグの外面図である。
【図９】図９は、実施例２の薄型映像等表示装置運送用バッグに薄型家電テレビを収納する場面を示す図である。
【図１０】図１０は、実施例２の薄型映像等表示装置運送用バッグに収納した薄型家電テレビを梱包（横包み）する場面を示す図である。
【図１１】図１１は、実施例２の薄型映像等表示装置運送用バッグに収納した薄型家電テレビを梱包（縦包み始め）する場面を示す図である。
【図１２】図１２は、実施例２の薄型映像等表示装置運送用バッグに収納した薄型家電テレビを梱包（縦包み途中）する場面を示す図である。
【図１３】図１３は、実施例２の薄型映像等表示装置運送用バッグに収納した薄型家電テレビを梱包（縦包み完了）する場面を示す図である。
【図１４】図１４は、実施例２の薄型映像等表示装置運送用バッグの梱包完了後を吊り下げ運搬する状態を示す図である。
【図１５】図１５は、実施例２の薄型映像等表示装置運送用バッグの梱包完了後を2人で階段運搬する状態を示す図である。
【図１６】図１６は、実施例３の薄型映像等表示装置運送用バッグの梱包完了後を示す図である。
【図１７】図１７は、実施例４の薄型映像等表示装置運送用バッグの梱包完了後を示す図である。
【図１８】図１８は、薄型映像等表示装置運送用バッグの保管時を示すイメージ図である。
【発明を実施するための形態】
【００２６】
本願発明にかかる薄型映像等表示装置運送用バッグを、薄型家電テレビを梱包し運搬・運送する場面で使用する。
【実施例１】
【００２７】
実施例１の薄型映像等表示装置運送用バッグは、薄型家電テレビ運送用バッグであり、その構成を図１、図２に従い説明する。
【００２８】
薄型家電テレビ運送用バッグ（１）は、後胴（１０）と、当該後胴（１０）の下端が接する底面（２０）と、当該底面（２０）の下端が接する前胴（３０）と、前記後胴（１０）の内面に取付けたテレビ画面保護用クッション（１１）と、前記底面（２０）の内面に取付けたテレビ支持脚保護用クッション（２１）と、前記後胴（１０）の上端が接する後胴フラップ（１２Ｆ）と、前記前胴（３０）の下端が接する前胴フラップ（３２Ｆ）と、前記後胴（１０）の左端が接する左フラップ（１３Ｆ）と、前記後胴（１０）の右端が接する右フラップ（１４Ｆ）と、前記左フラップ（１３Ｆ）の上端の一部が接する左上フラップ（１３ＵＦ）と、前記右フラップ（１４Ｆ）の上端の一部が接する右上フラップ（１４ＵＦ）と、前記後胴（１０）の外面に固着した後胴把持部（１５）と、前記前胴（３０）の外面に固着した前胴把持部（３５）と、前記左フラップ（１３Ｆ）および右フラップ（１４Ｆ）を結束するバックル（４０ａ）と水平方向結束ベルト（４１）とから構成する。
【００２９】
なお、前記テレビ画面保護用クッション（１１）と、後胴（１０）の内面との取り付け手段は、前記後胴（１０）の内面に面ファスナを縫着し、前記テレビ画面保護用クッション（１１）側にも対応する面ファスナを縫着した脱着可能式だけに限定されず、その他の周知の固着手段に変更することもあり得る。
【００３０】
なお、前記テレビ支持脚保護用クッション（２１）と、底面（２０）の内面との取り付け手段は、前記底面（２０）の内面に面ファスナを縫着し、前記テレビ支持脚保護用クッション（２１）側にも対応する面ファスナを縫着した脱着可能式だけに限定されず、その他の周知の固着手段に変更することもあり得る。
【００３１】
なお、前記テレビ支持脚保護用クッション（２１）の高さは、現状の様々なメーカーの薄型家電テレビ等に対応するために１０ｃｍ程度であることが好ましい。
【００３２】
前記テレビ支持脚保護用クッション（２１）の素材は、エチレン・ビニル・アセテート（ＥＶＡ）を使用しているが、その他の周知の素材に変更することもあり得る。
【００３３】
なお、前記バックル（４０ａ）と水平方向結束ベルト（４１）は、前記左フラップ（１３Ｆ）と右フラップ（１４Ｆ）とを結束し得る結束具であれば何でもよく、周知の結束具に変更することもあり得る。
【００３４】
実施例１の薄型家電テレビ運送用バッグの梱包動作を図３、図４、図５、図６の順に沿って説明する。
【００３５】
図３は、薄型家電テレビを収納する場面である。薄型家電テレビ運送用バッグ（１）を広げて、後胴（１０）の内面に縫着した面ファスナに、対応する面ファスナを縫着したテレビ画面保護用クッション（１１）を接着し取付ける。
【００３６】
底面（２０）の内面に縫着した面ファスナに、対応する面ファスナを縫着したテレビ支持脚保護用クッション（２１）を両端に１個ずつ接着し取付ける。
【００３７】
テレビ画面保護用クッション（１１）方向にテレビ画面側を向け、２個のテレビ支持脚保護用クッション（２１）間の位置にテレビ支持脚を収め、前記テレビ支持脚保護用クッション（２１）上に薄型家電テレビを置く。
【００３８】
なお、前記テレビ支持脚保護用クッション（２１）をテレビ支持脚の高さよりも高くしているので、テレビ支持脚は底面（２０）に着地していない。
【００３９】
図４は、薄型家電テレビ運送用バッグに収納した薄型家電テレビを梱包（横包み）する場面である。
【００４０】
左フラップ（１３Ｆ）と右フラップ（１４Ｆ）とを各々閉じ、バックル（４０ａ）と対応する水平方向結束ベルト（４１）を結束する。
【００４１】
図５および図６は、薄型家電テレビ運送用バッグに収納した薄型家電テレビを梱包（縦包み）する場面である。
【００４２】
左上フラップ（１３ＵＦ）と右上フラップ（１４ＵＦ）とを各々閉じ、さらに後胴フラップ（１２Ｆ）も閉じる。
【００４３】
さらに、前胴（３０）を閉じる。
【００４４】
最後に、前胴フラップ（３２Ｆ）の内面に縫着してある面ファスナと前記後胴フラップ（１２Ｆ）の外面とを接着する。
【００４５】
なお、前記後胴フラップ（１２Ｆ）の表面は、いずれの位置でも前記前胴フラップ（３２Ｆ）の内面に縫着してある面ファスナが接着できるようにパイル地を使用している。
【００４６】
梱包が完了した薄型家電テレビ運送用バッグ（１）は、前記後胴（１０）の外面に固着された２個の後胴把持部（１５）と、前記前胴（３０）の外面に固着された２個の前胴把持部（３５）とを２人ないし４人で掴み運搬・運送する。
【００４７】
なお、被包装体を薄型家電テレビからパソコンの出力装置として利用される薄型パソコンディスプレイに代えても同様である。
【実施例２】
【００４８】
実施例２の薄型映像等表示装置運送用バッグは、被包装体が３７インチを超え５８インチまでの薄型家電テレビ運送用バッグである。
【００４９】
まずは、その構成を図７、図８に従い説明する。
【００５０】
実施例２の薄型家電テレビ運送用バッグ（１）は、後胴（１０）と、当該後胴（１０）の下端が接する底面（２０）と、当該底面（２０）の下端が接する前胴（３０）と、前記後胴（１０）の内面に取付けたテレビ画面保護用クッション（１１）と、前記底面（２０）の内面に取付けたテレビ支持脚保護用クッション（２１）と、前記後胴（１０）の上端が接する後胴フラップ（１２Ｆ）と、前記前胴（３０）の下端が接する前胴フラップ（３２Ｆ）と、前記後胴（１０）の左端が接する左フラップ（１３Ｆ）と、前記後胴（１０）の右端が接する右フラップ（１４Ｆ）と、前記左フラップ（１３Ｆ）の上端の一部が接する左上フラップ（１３ＵＦ）と、前記右フラップ（１４Ｆ）の上端の一部が接する右上フラップ（１４ＵＦ）と、前記後胴（１０）の外面中央部付近に固着した２つの後胴把持部（１５）と、前記底面（２０）の外面端部（図示上端部）と前記後胴（１０）との境界部位置に２つ、前記底面（２０）の外面端部（図示下端部）と前記前胴（３０）との境界部位置に２つ、および前記底面（２０）の他の外面端部（図示左右端部）に各々１つを固着した底面把持部（２５）と、前記前胴（３０）の外面中央部付近に固着した２つの前胴把持部（３５）と、前記左フラップ（１３Ｆ）および右フラップ（１４Ｆ）を結束する３対の水平方向結束Ｄカン（４０ｂ）および水平方向結束ベルト（４１）の組合せで構成する水平方向結束具と、前記後胴（１０）および前記前胴フラップ（３２Ｆ）を結束する３対の垂直方向結束Ｄカン（５０ｂ）および垂直方向結束ベルト（５１）の組合せで構成する垂直方向結束具とで構成する。
【００５１】
前記後胴（１０）の外面略四隅および前記前胴（３０）の外面略四隅には、当該薄型家電テレビ運送用バッグ（１）を吊り下げ運搬する場合に利用する吊り下げ用ロープ等挿入機構（６０）を設けている。
【００５２】
前記吊り下げ用ロープ等挿入機構（６０）の構造は、水平方向帯状布の一部に未縫着部分を設けることにより吊り下げ用ロープ等を挿入する空間を確保しているが、被包装体である薄型家電テレビの重量に耐え、かつ、吊り下げ用ロープ等を挿入する空間を確保できる構造であれば設計変更し得る。
【００５３】
前記吊り下げ用ロープ等挿入機構（６０）の配置および個数は、前記後胴（１０）の外面略四隅および前記前胴（３０）の外面略四隅に設けているが、被包装体である薄型家電テレビの重量に耐え、かつ、吊り下げ用ロープ等が挿入および維持できれば良く、設計変更し得る。
【００５４】
前記後胴把持部（１５）および前記前胴把持部（３５）の配置および個数は、前記後胴（１０）の外面中央部付近に２つの後胴把持部（１５）および前記前胴（３０）の外面中央部付近に２つの前胴把持部（３５）を設けているが、当該薄型家電テレビ運送用バッグ（１）を運搬・運送するのに適していれば良い。
【００５５】
前記底面把持部（２５）の配置および個数は、当該薄型家電テレビ運送用バッグ（１）を運搬・運送するのに適していれば良いが、被包装体である薄型家電テレビの重量が重い場合には複数人の運搬員が様々な位置で把持可能な位置に配置されていることが好ましい。
【００５６】
前記テレビ支持客保護用クッション（２１）の配置、個数および高さは、前記底面（２０）の両端に１個ずつおよびテレビ支持脚が前記底面（２０）に着地しない程度の高さとしているが、テレビ支持脚を外部からの衝撃などから防止することができれば良い。
【００５７】
なお、前記テレビ支持脚保護用クッション（２１）は、前記底面（２０）内面の左端部および右端部に縫着した４本の底面面ファスナ（２０９）により固定している。
【００５８】
前記テレビ画面保護用クッション（１１）の形状および大きさは、被包装体である薄型家電テレビのテレビ画面を外部からの衝撃などから防止することができれば良いが、当該薄型家電テレビ運送用バッグ（１）を保管するときの収納性を向上させるためには、折り畳み可能であることが好ましい。さらに好ましくは、中央付近に横方向の切れ込みを入れ２つ折り畳んだときの大きさが前記底面（２０）以下の大きさになるテレビ画面保護用クッション（１１）である。
【００５９】
なお、前記テレビ画面保護用クッション（１１）は、前記後胴（１０）内面の上端部および下端部に縫着した２本の後胴面ファスナ（１０９）により固定している。
【００６０】
前記右フラップ（１４Ｆ）の外面には、テレビ画面背面保護用合板挿入ポケット（７０）を縫着している。
【００６１】
なお、前記テレビ画面背面保護用合板挿入ポケット（７０）は、前記右フラップ（１４Ｆ）の外面に縫着しているが、テレビ画面の背面中央部付近を保護できれば良く、左フラップ（１３Ｆ）の外面等に縫着することも可能である。
【００６２】
前記後胴フラップ（１２Ｆ）の外面には、略等間隔で３本の後胴フラップ面ファスナ（１２Ｆ９）を縫着している。
【００６３】
前記前胴フラップ（３２Ｆ）の内面には、前記後胴フラップ面ファスナ（１２Ｆ９）と相互に着脱可能な前胴フラップ面ファスナ（３２Ｆ９）を縫着している。
【００６４】
前記左上フラップ（１３ＵＦ）の外面には、左上フラップ面ファスナ（１３ＵF９）を縫着している。
【００６５】
前記前記右上フラップ（１４ＵＦ）の内面には、前記左フラップ面ファスナ（１３ＵＦ９）と相互に着脱可能な右上フラップ面ファスナ（１４ＵＦ９）を縫着している。
【００６６】
なお、当該薄型家電テレビ運送用バッグ（１）の外形寸法は、幅１４２ｃｍ高さ９３ｃｍ奥行き４３ｃｍである。
【００６７】
次に、実施例２の薄型表示装置の運送用バッグの梱包時の動作について、図７、図９、図１０、図１１、図１２、図１３の順に沿って説明する。
【００６８】
薄型家電テレビ運送用バッグ（１）を広げて、後胴（１０）の内面に縫着した後胴面ファスナ（１０９）に、対応する面ファスナ（図示せず）を縫着したテレビ画面保護用クッション（１１）を圧着し取付ける。
【００６９】
底面（２０）の内面に縫着した底面面ファスナ（２０９）に、対応する面ファスナ（図示せず）を縫着したテレビ支持脚保護用クッション（２１）を前記底面（２０）の両端に１個ずつ圧着し取付ける。
【００７０】
前記テレビ画面保護用クッション（１１）方向にテレビ画面（表示面側）を向け、前記底面（２０）の両端に圧着し取付けたテレビ支持脚保護用クッション（２１）間の位置にテレビ支持脚を収め、前記テレビ支持脚保護用クッション（２１）の上に薄型家電テレビを載置する。
【００７１】
なお、前記テレビ支持脚保護用クッション（２１）をテレビ支持脚の高さよりも高くしているので、テレビ支持脚は底部（２０）に着地していない。
【００７２】
右フラップ（１４Ｆ）に縫着したテレビ画面背面保護用合板挿入ポケット（７０）にテレビ画面背面保護用合板（７１）を挿入し、前記右フラップ（１４Ｆ）を閉じる。
【００７３】
左フラップ（１３Ｆ）を閉じ、３個の水平方向結束Ｄカン（４０ｂ）に対応する各水平方向結束ベルト（４１）を挿入し前記右フラップ（１４Ｆ）と左フラップ（１３Ｆ）とを結束する。
【００７４】
左上フラップ（１３ＵＦ）を閉じる。
【００７５】
前記左上フラップ（１３ＵＦ）の外面に縫着された左上フラップ面ファスナ（１３ＵＦ９）上に、右上フラップ（１４ＵＦ）の内面に縫着された右上フラップ面ファスナ（１４ＵＦ９）を重ね閉じ圧着する。
【００７６】
後胴フラップ（１２Ｆ）を前記右上フラップ（１４ＵＦ）上に重ね閉じる。
【００７７】
前胴（３０）を閉じ、さらに、前記後胴フラップ（１２Ｆ）の外面に縫着された前記後胴フラップ面ファスナ（１２Ｆ９）上に、前記前胴フラップ（３２Ｆ）の内面に縫着された前記前胴フラップ面ファスナ（３２Ｆ９）を重ね閉じ圧着する。
【００７８】
３個の垂直方向結束Ｄカン（５０ｂ）に対応する各垂直方向結束ベルト（５１）を挿入し、前記前胴フラップ（３２Ｆ）と前記後胴（１０）とを結束する。
【００７９】
なお、被包装体を薄型家電テレビからパソコンの出力装置として利用される薄型パソコンディスプレイに代えても同様である。
【００８０】
次に、実施例２の薄型家電テレビの運送用バッグの吊り下げ運搬時の動作について、図１４に従い説明する。
【００８１】
梱包が完了した薄型家電テレビ運送用バッグ（１）の後胴（１０）および前胴（３０）の図示右端に装備した吊り下げ用ロープ等挿入機構（６０）に吊り下げ用ロープＡ（６１）を挿入し、さらに前記後胴（１０）および前胴（３０）の図示左端に装備した吊り下げ用ロープ等挿入機構（６０）にも吊り下げ用ロープＢ（６２）を挿入する。
【００８２】
前記吊り下げ用ロープＡ（６１）および前記吊り下げ用ロープＢ（６２）を同時に引き上げることにより、前記薄型家電テレビ運送用バッグ（１）を吊り下げ運搬することができる。
【００８３】
次に、実施例２の薄型家電テレビの運送用バッグの階段運搬時の動作について、図１５に従い説明する。
【００８４】
階段上部の運搬員は、梱包が完了した薄型家電テレビ運送用バッグ（１）の図示左側の前胴把持部（３５）および後胴把持部（１５）を握りながら（バッグを腕で挟むようにして）階段を上る。
【００８５】
一方、階段下部の運搬員は、前記薄型家電テレビ運送用バッグ（１）の図示右側の両底面把持部（２５）を握りながら（バッグを腕で挟むようにして）階段を上る。
【実施例３】
【００８６】
実施例３の薄型映像等表示装置運送用バッグは、被包装体が２２インチを超え３７インチまでの薄型家電テレビ運送用バッグである。
【００８７】
その構成を図１６に従い、実施例２との変更点のみを説明する。
【００８８】
実施例３の薄型家電テレビ運送用バッグ（１）は、後胴（１０）と、当該後胴（１０）の下端が接する底面（２０）と、当該底面（２０）の下端が接する前胴（３０）と、前記後胴（１０）の内面に取付けたテレビ画面保護用クッション（１１）と、前記底面（２０）の内面に取付けたテレビ支持脚保護用クッション（２１）と、前記後胴（１０）の上端が接する後胴フラップ（１２Ｆ）と、前記前胴（３０）の下端が接する前胴フラップ（３２Ｆ）と、前記後胴（１０）の左端が接する左フラップ（１３Ｆ）と、前記後胴（１０）の右端が接する右フラップ（１４Ｆ）と、前記左フラップ（１３Ｆ）の上端の一部が接する左上フラップ（１３ＵＦ）と、前記右フラップ（１４Ｆ）の上端の一部が接する右上フラップ（１４ＵＦ）と、前記後胴（１０）の外面中央部付近に固着した１つの後胴把持部（１５）および前記後胴把持部（１５）を挟むように設けた１つの後胴肩掛けハンドル（１６）と、前記前胴（３０）の外面で、かつ、前記後胴肩掛け紐（１６）と対称的位置に設けた１つの前胴肩掛けハンドル（３６）と、前記左フラップ（１３Ｆ）および右フラップ（１４Ｆ）を結束する２対の水平方向結束Ｄカン（４０ｂ）および水平方向結束ベルト（４１）の組合せで構成する水平方向結束具と、前記後胴（１０）および前記前胴フラップ（３２Ｆ）を結束する２対の垂直方向結束Ｄカン（５０ｂ）および垂直方向結束ベルト（５１）の組合せで構成する垂直方向結束具とで構成する。
【００８９】
なお、前記後胴肩掛けハンドル（１６）と後胴（１０）および前記前胴肩掛けハンドル（３６）と前胴（３０）との固着については、被包装体である薄型家電テレビの重量に耐えうる固着手段であれば良い。本実施例では、前記後胴（１０）および前胴（３０）の外面にＤカンを設けている。
【００９０】
なお、当該薄型家電テレビ運送用バッグ（１）の外形寸法は、幅８８ｃｍ高さ６８ｃｍ奥行き３１ｃｍである。
【００９１】
次に、実施例３の薄型家電テレビの運送用バッグの1人運搬をする場合の動作について、図１６に従い説明する。
【００９２】
運搬員は、梱包が完了した薄型家電テレビ運送用バッグ（１）の後胴肩掛けハンドル（１６）および前胴肩掛けハンドル（３６）を肩に掛けて運搬する。
【００９３】
前記薄型家電テレビ運送用バッグ（１）が運搬中に揺れる場合には、さらに後胴把持部（１５）を握り、揺れを抑えながら１人で運搬をする。
【００９４】
その他の動作については、実施例２と略同様であるので省略する。
【００９５】
なお、被包装体を薄型家電テレビからパソコンの出力装置として利用される薄型パソコンディスプレイに代えても同様である。
【実施例４】
【００９６】
実施例４の薄型映像等表示装置運送用バッグは、被包装体が２２インチ以下の薄型家電テレビ運送用バッグである。
【００９７】
その構成を図１７に従い、実施例２との変更点のみを説明する。
【００９８】
実施例４の薄型家電テレビ運送用バッグ（１）は、後胴（１０）と、当該後胴（１０）の下端が接する底面（２０）と、当該底面（２０）の下端が接する前胴（３０）と、前記後胴（１０）の内面に取付けたテレビ画面保護用クッション（１１）と、前記底面（２０）の内面に取付けたテレビ支持脚保護用クッション（２１）と、前記後胴（１０）の上端が接する後胴フラップ（１２Ｆ）と、前記前胴（３０）の下端が接する前胴フラップ（３２Ｆ）と、前記後胴（１０）の左端が接する左フラップ（１３Ｆ）と、前記後胴（１０）の右端が接する右フラップ（１４Ｆ）と、前記左フラップ（１３Ｆ）の上端の一部が接する左上フラップ（１３ＵＦ）と、前記右フラップ（１４Ｆ）の上端の一部が接する右上フラップ（１４ＵＦ）と、前記後胴（１０）の外面左端部近傍と右端部近傍を紐状体で結合した１本の後胴把持部（１５）と、前記前胴（３０）の外面で、かつ、前記後胴把持部（１５）と対称的位置に設けた１本の前胴把持部（３５）と、前記左フラップ（１３Ｆ）および右フラップ（１４Ｆ）を結束する２対の水平方向結束Ｄカン（４０ｂ）および水平方向結束ベルト（４１）の組合せで構成する水平方向結束具と、前記後胴（１０）および前記前胴フラップ（３２Ｆ）を結束する２対の垂直方向結束Ｄカン（５０ｂ）および垂直方向結束ベルト（５１）の組合せで構成する垂直方向結束具とで構成する。
【００９９】
なお、当該薄型家電テレビ運送用バッグ（１）の外形寸法は、幅５６ｃｍ高さ４７ｃｍ奥行き２２ｃｍである。
【０１００】
実施例４の薄型家電テレビの運送用バッグの1人運搬をする場合の動作について、図１７に従い説明する。
【０１０１】
運搬員は、梱包が完了した薄型家電テレビ運送用バッグ（１）の後胴把持部（１５）および前胴把持部（３５）を握り１人で運搬する。
【０１０２】
その他の動作については、実施例２および実施例３と略同様であるので省略する。
【０１０３】
なお、被包装体を薄型家電テレビからパソコンの出力装置として利用される薄型パソコンディスプレイに代えても同様である。
【０１０４】
なお、すべての薄型映像等表示装置運送用バッグ（１）は、保管時には折り畳んでバッグ収納巾着（８）に収納することができる（図１８）。
【産業上の利用可能性】
【０１０５】
本願発明は、薄型家電テレビ、薄型パソコンディスプレイ等の梱包作業を単純化させ、短時間で梱包・運搬・運送ができ、さらに繰り返し使用することができる運送用エコバッグであり、利便性を飛躍的に向上させるものであるから産業上の利用可能性を有する。
【符号の説明】
【０１０６】
１            薄型映像等表示装置運送用バッグ
１０          後胴
１１          テレビ画面保護用クッション（表示装置表示部保護用緩衝材）
１２Ｆ        後胴フラップ
１２Ｆ９      後胴フラップ面ファスナ
１３Ｆ        左フラップ
１３ＵＦ      左上フラップ
１３ＵＦ９    左上フラップ面ファスナ
１４Ｆ        右フラップ
１４ＵＦ      右上フラップ
１４ＵＦ９    右上フラップ面ファスナ
１５          後胴把持部
１６          後胴肩掛けハンドル
１０９        後胴面ファスナ
２０          底面
２１          テレビ支持脚保護用クッション（表示装置支持脚保護用緩衝材）
２５          底面把持部
２０９        底面面ファスナ
３０          前胴
３２Ｆ        前胴フラップ
３２Ｆ９      前胴フラップ面ファスナ
３５          前胴把持部
３６          前胴肩掛けハンドル
４０ａ        バックル
４０ｂ        水平方向結束Ｄカン
４１          水平方向結束ベルト
５０ｂ        垂直方向結束Ｄカン
５１          垂直方向結束ベルト
６０          吊り下げ用ロープ等挿入機構
６１          吊り下げ用ロープＡ
６２          吊り下げ用ロープＢ
７０          テレビ画面背面保護用合板挿入ポケット
７１          テレビ画面背面保護用合板
８            バッグ収納用巾着
【図１】
2011178468.tif 000003
【図２】
2011178468.tif 000004
【図３】
2011178468.tif 000005
【図４】
2011178468.tif 000006
【図５】
2011178468.tif 000007
【図６】
2011178468.tif 000008
【図７】
2011178468.tif 000009
【図８】
2011178468.tif 000010
【図９】
2011178468.tif 000011
【図１０】
2011178468.tif 000012
【図１１】
2011178468.tif 000013
【図１２】
2011178468.tif 000014
【図１３】
2011178468.tif 000015
【図１４】
2011178468.tif 000016
【図１５】
2011178468.tif 000017
【図１６】
2011178468.tif 000018
【図１７】
2011178468.tif 000019
【図１８】
2011178468.tif 000020